(57)【要約】【課題】ラベル片３自体に任意のマークを施すことができ、ラベル連続体１の製造、およびその保管管理を低コストで行うことができるようにし、ラベル片３のマーク付けによりラベル片３を互いに識別可能とする携帯式ラベル印字貼付け機におけるラベルマーク装置、ラベルマーク方法およびラベルマーク具２７を提供する。【解決手段】ラベル片３にマーク付け可能なラベルマーク具２７をラベル連続体１の移送路２２に設けることに着目したもので、ラベル連続体１の移送路２２の途中に設けたマーク具取付け部（ラベルガイド部材２６）と、マーク具取付け部２６に着脱可能に設けたラベルマーク具２７と、を有し、ラベルマーク具２７は、移送路２２中を移送されてくるラベル連続体１のラベル片３にマーク付け可能である。【選択図】図１
2016140998.tif 000002
【特許請求の範囲】
【請求項１】
帯状の台紙に複数枚のラベル片を仮着したラベル連続体の各ラベル片に印字を行って貼り付ける携帯式ラベル印字貼付け機におけるラベルマーク装置であって、
前記ラベル連続体の移送路の途中に設けたマーク具取付け部と、
このマーク具取付け部に着脱可能に設けたラベルマーク具と、を有し、
このラベルマーク具は、前記移送路中を移送されてくる前記ラベル連続体の前記ラベル片にマーク付け可能であることを特徴とする携帯式ラベル印字貼付け機におけるラベルマーク装置。
【請求項２】
前記マーク具取付け部は、前記ラベル連続体のラベルガイド部材であることを特徴とする請求項１記載の携帯式ラベル印字貼付け機におけるラベルマーク装置。
【請求項３】
前記ラベル連続体を移送する移送部におけるラベル押さえ部材の外表面に沿って前記ラベル連続体を移送するとともに、
このラベル押さえ部材に対向して前記ラベルマーク具が位置していることを特徴とする請求項１または２記載の携帯式ラベル印字貼付け機におけるラベルマーク装置。
【請求項４】
前記ラベルマーク具は、前記マーク具取付け部との間における蟻足・蟻溝構造によりこれを着脱可能としていることを特徴とする請求項１ないし３のいずれかに記載の携帯式ラベル印字貼付け機におけるラベルマーク装置。
【請求項５】
前記ラベルマーク具は、各種の色別にこれを準備していることを特徴とする請求項１ないし４のいずれかに記載の携帯式ラベル印字貼付け機におけるラベルマーク装置。
【請求項６】
前記ラベルマーク具を着脱治具により前記マーク具取付け部に対して着脱可能としていることを特徴とする請求項１ないし５のいずれかに記載の携帯式ラベル印字貼付け機におけるラベルマーク装置。
【請求項７】
帯状の台紙に複数枚のラベル片を仮着したラベル連続体の各ラベル片に印字を行って貼り付ける携帯式ラベル印字貼付け機におけるラベルマーク方法であって、
前記ラベル連続体の移送路の途中に設けたマーク具取付け部に着脱可能に設けたラベルマーク具が、前記移送路中を移送されてくる前記ラベル連続体の前記ラベル片にマーク付けすることを特徴とする携帯式ラベル印字貼付け機におけるラベルマーク方法。
【請求項８】
帯状の台紙に複数枚のラベル片を仮着したラベル連続体の各ラベル片に印字を行って貼り付ける携帯式ラベル印字貼付け機におけるラベルマーク具であって、
前記ラベル連続体の移送路の途中に設けたマーク具取付け部に着脱可能に設けているとともに、前記移送路中を移送されてくる前記ラベル連続体の前記ラベル片にマーク付け可能であることを特徴とする携帯式ラベル印字貼付け機におけるラベルマーク具。
【発明の詳細な説明】
【技術分野】
【０００１】
本発明は携帯式ラベル印字貼付け機におけるラベルマーク装置、ラベルマーク方法およびラベルマーク具にかかるもので、とくにラベル連続体におけるそれぞれのラベル片に着色その他のマーク付けを可能とした携帯式ラベル印字貼付け機におけるラベルマーク装置、ラベルマーク方法およびラベルマーク具に関するものである。
【背景技術】
【０００２】
従来からの携帯式ラベル印字貼付け機は、帯状の台紙に複数枚のラベル片を仮着したラベル連続体の各ラベル片に印字を行うとともに、印字済みのラベル片を必要な商品その他の物品に貼り付けることにより、たとえば商品の価格や値引き情報、さらには必要な管理情報などを表示可能としている。
【０００３】
上記ラベル連続体は、一般的にはロール状として上記携帯式ラベル印字貼付け機に装填されて使用される。
しかして、小売り店などではその販売形態に応じて、たとえば一週間の曜日を識別しつつ販売することが行われており、この場合、ラベル連続体のそれぞれのラベル片に地色として各種の色をあらかじめ印刷しておき、たとえば、曜日ラベルとしてその曜日によって値引きを強調するようなことが行われている。
【０００４】
たとえば図６は、一般的なラベル連続体１の平面図であって、ラベル連続体１は、帯状の台紙２に複数枚のラベル片３を仮着した構成を有し、ラベル片３にあらかじめ着色（たとえば、赤、緑、黄色など、図中では点で描いている）しているとともに、たとえば「特売品」、「３０％ＯＦＦ」などの印字を施す。
【０００５】
しかしながら、ラベル連続体１上に仮着するラベル片３の数は一般的に１ロールあたり１０００枚であり、必要な地色のラベル片３に何枚か印字した後、異なる地色のラベル片３を有する他のラベル連続体１に装填し直すことは作業上面倒であるという問題がある。
もちろん、異なる地色にあらかじめ印刷したラベル連続体１を複数種準備および保管することは、ラベル製造および管理上、コストの上昇を招くという問題もある。
【先行技術文献】
【特許文献】
【０００６】
【特許文献１】特許第３６４２４０６号公報
【発明の概要】
【発明が解決しようとする課題】
【０００７】
本発明は以上のような諸問題にかんがみなされたもので、ラベル片自体に任意のマークを施すことができる携帯式ラベル印字貼付け機におけるラベルマーク装置、ラベルマーク方法およびラベルマーク具を提供することを課題とする。
【０００８】
また本発明は、ラベル連続体の製造、およびその保管管理を低コストで行うことができるようにした携帯式ラベル印字貼付け機におけるラベルマーク装置、ラベルマーク方法およびラベルマーク具を提供することを課題とする。
【０００９】
また本発明は、ラベル片のマーク付けによりラベル片を互いに識別可能とする携帯式ラベル印字貼付け機におけるラベルマーク装置、ラベルマーク方法およびラベルマーク具を提供することを課題とする。
【課題を解決するための手段】
【００１０】
すなわち本発明は、ラベル片にマーク付け可能なラベルマーク具をラベル連続体の移送路に設けることに着目したもので、第一の発明は、帯状の台紙に複数枚のラベル片を仮着したラベル連続体の各ラベル片に印字を行って貼り付ける携帯式ラベル印字貼付け機におけるラベルマーク装置であって、上記ラベル連続体の移送路の途中に設けたマーク具取付け部と、このマーク具取付け部に着脱可能に設けたラベルマーク具と、を有し、このラベルマーク具は、上記移送路中を移送されてくる上記ラベル連続体の上記ラベル片にマーク付け可能であることを特徴とする携帯式ラベル印字貼付け機におけるラベルマーク装置である。
【００１１】
第二の発明は、帯状の台紙に複数枚のラベル片を仮着したラベル連続体の各ラベル片に印字を行って貼り付ける携帯式ラベル印字貼付け機におけるラベルマーク方法であって、上記ラベル連続体の移送路の途中に設けたマーク具取付け部に着脱可能に設けたラベルマーク具が、上記移送路中を移送されてくる上記ラベル連続体の上記ラベル片にマーク付けすることを特徴とする携帯式ラベル印字貼付け機におけるラベルマーク方法である。
【００１２】
第三の発明は、帯状の台紙に複数枚のラベル片を仮着したラベル連続体の各ラベル片に印字を行って貼り付ける携帯式ラベル印字貼付け機におけるラベルマーク具であって、上記ラベル連続体の移送路の途中に設けたマーク具取付け部に着脱可能に設けているとともに、上記移送路中を移送されてくる上記ラベル連続体の上記ラベル片にマーク付け可能であることを特徴とする携帯式ラベル印字貼付け機におけるラベルマーク具である。
【００１３】
上記マーク具取付け部は、上記ラベル連続体のラベルガイド部材であることができる。
【００１４】
上記ラベル連続体を移送する移送部におけるラベル押さえ部材の外表面に沿って上記ラベル連続体を移送するとともに、このラベル押さえ部材に対向して上記ラベルマーク具が位置していることができる。
【００１５】
上記ラベルマーク具は、上記マーク具取付け部との間における蟻足・蟻溝構造によりこれを着脱可能としていることができる。
【００１６】
上記ラベルマーク具は、各種の色別にこれを準備していることができる。
【００１７】
上記ラベルマーク具を着脱治具により上記マーク具取付け部に対して着脱可能としていることができる。
【００１８】
上記ラベル片にマーク付けするマーク自体は、ラベル片への着色はもちろん、マーク具を任意に設計することにより、任意の幅を有する線状はもちろん、任意のデザインによる各種のマークを選択可能である。
【発明の効果】
【００１９】
本発明による携帯式ラベル印字貼付け機におけるラベルマーク装置、ラベルマーク方法およびラベルマーク具においては、ラベル片にマーク付け可能なラベルマーク具をラベル連続体の移送路に設けたので、携帯式ラベル印字貼付け機によるラベル連続体のラベル片への従来からの印字とともに、ラベル連続体の移送時にラベル片に着色その他所定のマーク付けを行うことができる。
【００２０】
とくに第一の発明の携帯式ラベル印字貼付け機におけるラベルマーク装置によれば、ラベル連続体の移送路の途中に設けたマーク具取付け部と、このマーク具取付け部に着脱可能に設けたラベルマーク具と、を設けたので、移送路中を移送されてくるラベル連続体のラベル片にマーク付け可能である。
【００２１】
とくに第二の発明の携帯式ラベル印字貼付け機におけるラベルマークマーク方法によれば、ラベル連続体の移送路の途中に設けたマーク具取付け部に着脱可能に設けたラベルマーク具が、移送路中を移送されてくるラベル連続体のラベル片にマーク付けするようにしたので、携帯式ラベル印字貼付け機によるラベル連続体への印字動作にともなってラベル片にマーク付けすることができる。
【００２２】
とくに第三の発明の携帯式ラベル印字貼付け機におけるラベルマーク具によれば、ラベル連続体の移送路の途中に設けたマーク具取付け部に着脱可能に設けているとともに、移送路中を移送されてくるラベル連続体のラベル片にマーク付け可能であり、このラベルマーク具を取り替えることにより、ラベル片に任意のマークを付けることができる。
【図面の簡単な説明】
【００２３】
【図１】本発明の実施例によるラベルマーク装置２０を有する携帯式ラベル印字貼付け機１０の概略断面側面図である。
【図２】同、ラベルマーク具２７、およびラベルマーク具２７をラベルガイド部材２６に対して着脱するための着脱治具３０の側面図である。
【図３】同、着脱治具３０の平面図である。
【図４】同、ラベルガイド部材２６にラベルマーク具２７（マーク具本体２８）が係合セットされている状態を示す平面図である。
【図５】同、ラベルマーク装置２０によりラベル片３に左右一対のマーク付けをした一例を示す平面図である。
【図６】一般的なラベル連続体１の平面図である。
【発明を実施するための形態】
【００２４】
本発明は、ラベル片にマーク付け可能なラベルマーク具をラベル連続体の移送路に設けて、ラベル片に必要なマークを付けることができる携帯式ラベル印字貼付け機におけるラベルマーク装置、ラベルマーク方法およびラベルマーク具を実現した。
【実施例】
【００２５】
つぎに本発明の実施例による携帯式ラベル印字貼付け機におけるラベルマーク装置、ラベルマーク方法およびラベルマーク具を図１ないし図５にもとづき説明する。ただし、図６と同様の部分には同一符号を付し、その詳述はこれを省略する。
図１は、携帯式ラベル印字貼付け機１０の概略断面側面図であり、携帯式ラベル印字貼付け機１０は、貼付け機本体１１と、貼付け機本体１１に形成したグリップ１２と、貼付け機本体１１に設けたレバー軸１３に回動可能に設けた操作レバー１４と、操作レバー１４の先端部に取り付けた上下二段の印字器１５と、移送部１６と、インキローラー１７と、プラテン１８と、貼付けローラー１９と、本実施例によるラベルマーク装置２０と、を有し、貼付け機本体１１の上部に設けたラベル保持部２１に前記ラベル連続体１をロール状に保持して、内部の移送路２２に帯状に供給可能としている。
【００２６】
移送部１６は、移送ローラー２３と、ラベル押さえ部材２４と、を有し、ラベル保持部２１からラベル連続体１を移送路２２に沿って移送可能である。
すなわち、携帯式ラベル印字貼付け機１０のグリップ１２および操作レバー１４を握持することにより、印字器１５がプラテン１８方向に下降し、インキローラー１７がインキを塗布して、プラテン１８上のラベル連続体１のラベル片３に押圧印字する。
グリップ１２および操作レバー１４の握持開放により、これに連動して移送ローラー２３がラベル連続体１を下流方向に移送し、プラテン１８の先端部に設けた転向ピン２５において台紙２のみを後方（移送部１６）に転向させ、台紙２からラベル片３を剥離して、このラベル片３を貼付けローラー１９により所定の商品ないし物品（図示せず）に貼り付けるとともに、台紙２を移送ローラー２３とラベル押さえ部材２４との間にガイド移送して台紙２を貼付け機本体１１の後方部から排出する。
【００２７】
本実施例によるラベルマーク装置２０は、ラベルガイド部材２６（マーク具取付け部）と、このラベルガイド部材２６に着脱可能に設けたラベルマーク具２７と、を有する。
ラベルガイド部材２６は、ラベル連続体１の移送路２２の途中にこれを設けて、移送部１６におけるラベル押さえ部材２４からのラベル連続体１をプラテン１８および転向ピン２５、貼付けローラー１９方向にガイド可能である。
なお本発明におけるマーク具取付け部としては、ラベルガイド部材２６以外にも、貼付け機本体１１内における移送路２２に沿った部分であれば、任意の固定部材を選択することができる。
【００２８】
ラベルマーク具２７は、ラベルガイド部材２６に着脱可能なマーク具本体２８と、マーク具本体２８の先端部（ラベル押さえ部材２４方向）に取り付けた、たとえば左右一対の（図４を参照）マーカーペン２９と、を有し、移送路２２中を移送されてくるラベル連続体１のラベル片３にマーカーペン２９がマーク付け可能である。
すなわち、ラベルマーク具２７は、ラベル押さえ部材２４に対向するように位置しており、ラベル保持部２１から移送路２２内を移送されてきたラベル連続体１の下方部に位置するラベル押さえ部材２４の外周部がラベルマーク具２７の受圧台として機能する。
マーク具本体２８内に必要なインキタンクを設けて、必要な回数ないし期間にわたってマーカーペン２９によるラベル片３へのマーク付けを可能とする。
【００２９】
図２は、ラベルマーク具２７、およびラベルマーク具２７をラベルガイド部材２６に対して着脱するための着脱治具３０の側面図であって、着脱治具３０は、操作ロッド３１と、操作ロッド３１の先端部に形成した着脱フック３２と、を有する。
図３は、着脱治具３０の平面図であって、着脱フック３２には、その内方部の着脱用凹部３３およびこの着脱用凹部３３に連通する左右一対の円形開口部３４を形成してある。
ラベルマーク具２７のマーク具本体２８頂部には、左右一対の（図４を参照）着脱用凸部３５を形成してあり、着脱治具３０における着脱フック３２の円形開口部３４との係脱を可能としている。
【００３０】
図４は、ラベルガイド部材２６にラベルマーク具２７（マーク具本体２８）が係合セットされている状態を示す平面図であって、ラベルガイド部材２６に形成した蟻足３６に、ラベルマーク具２７のマーク具本体２８に形成した蟻溝３７が、図中紙面表裏方向に係脱可能となっている。
もちろんラベルガイド部材２６とラベルマーク具２７（マーク具本体２８）との間の上記蟻足・蟻溝構造としては、図示の例とは反対に、ラベルガイド部材２６に蟻溝を形成するとともに、ラベルマーク具２７のマーク具本体２８に蟻足を形成してもよい。
【００３１】
したがって、図２の実線矢印で示すように、携帯式ラベル印字貼付け機１０の貼付け機本体１１の外方の上方から着脱治具３０の着脱フック３２をラベルマーク具２７の着脱用凸部３５に対向させた状態で、矢印Ａのように着脱用凸部３５に着脱用凹部３３を係合させ、ついで矢印Ｂのように図中上方に引き上げることにより、ラベルマーク具２７をラベルガイド部材２６から外すことができる。
さらに、図２の点線で示すように、所定の色を着色可能なマーカーペン２９を有するラベルマーク具２７を着脱フック３２において係合した状態の着脱治具３０を矢印Ｃのように、貼付け機本体１１の外方の上方から図中下方に移動し、ラベルガイド部材２６の蟻足３６にマーク具本体２８の蟻溝３７を係合させて、マーカーペン２９がラベル押さえ部材２４上のラベル連続体１（ラベル片３）に接触可能な状態まで下降セットしたのち、矢印Ｄのように着脱治具３０とラベルマーク具２７との係合を解除すれば、ラベルマーク具２７を必要なマーク付け可能な位置にセットすることができる。
なお、ラベルガイド部材２６すなわちラベル押さえ部材２４に対してラベルマーク具２７の適正相対位置に停止させるためのストッパー機構（図示せず）を適宜設けることもできる。
【００３２】
また、ラベルマーク具２７のマーク具本体２８の表面には、色表示部３８を設けてあり、ラベルマーク具２７が何色（図４に示した例では、「ＲＥＤ」を表示している）を着色可能かを示すことができる。
【００３３】
こうした構成の携帯式ラベル印字貼付け機１０およびラベルマーク装置２０において、ラベル連続体１を移送する移送部１６におけるラベル押さえ部材２４の外表面に沿ってラベル連続体１を移送するとともに、既述のように、このラベル押さえ部材２４の外表面に対向してラベルマーク具２７が位置している。
したがって、グリップ１２および操作レバー１４を握持操作およびその開放操作により、印字器１５の印字動作とともに、移送路２２内をラベル連続体１が移送されてゆくときに、ラベル押さえ部材２４上に位置するラベル連続体１にラベルマーク具２７のマーカーペン２９がラベル片３に左右一対の線状のマーク３９を任意の色（たとえば「赤」）で描き引くことができる。
【００３４】
図５は、ラベルマーク装置２０によりラベル片３に左右一対のマーク付けをした一例を示す平面図であって、ラベル片３に、印字器１５による「特売品」および「３０％ＯＦＦ」という印字とともに、ラベルマーク具２７による左右一対のマーク付け（マーク３９、図示の例では、点で描いている）を行うことができ、このラベル片３を他の色のラベル片３を識別が可能である。
したがって、ラベルマーク具２７として、たとえば７種類の各種の色別にこれを準備することにより、必要に応じて異なる色のマーカーペン２９を有するラベルマーク具２７を取り替えて、たとえば、一週間のそれぞれの曜日ごとに異なった色のラベル片３を発行することができる。
【００３５】
かくして、ラベル連続体１のラベル片３として、あらかじめ必要な地色を印刷する必要がなく、無地ないし白色のままのラベル片３を有するラベル連続体１を使用可能であって、製造および保管管理コストを低減することができる。
【００３６】
なお本発明においては、ラベルマーク具２７としても、上述のような各種の色を着色可能な構成以外に、マーカーペン２９の形状や構成を設計することにより、必要な形状のマークをそれぞれ付与可能な構成とすることもできる。
【符号の説明】
【００３７】
１  ラベル連続体（図１、図６）
２  台紙
３  ラベル片
１０  携帯式ラベル印字貼付け機（図１）
１１  貼付け機本体
１２  グリップ
１３  レバー軸
１４  操作レバー
１５  印字器
１６  移送部
１７  インキローラー
１８  プラテン
１９  貼付けローラー
２０  携帯式ラベル印字貼付け機１０におけるラベルマーク装置（実施例、図１）
２１  ラベル保持部
２２  移送路
２３  移送ローラー
２４  ラベル押さえ部材
２５  転向ピン
２６  ラベルガイド部材（マーク具取付け部）
２７  ラベルマーク具
２８  ラベルマーク具２７のマーク具本体
２９  ラベルマーク具２７のマーカーペン
３０  着脱治具（図２）
３１  着脱治具３０の操作ロッド
３２  着脱治具３０の着脱フック
３３  着脱用凹部
３４  左右一対の円形開口部
３５  左右一対の着脱用凸部
３６  ラベルガイド部材２６に形成した蟻足
３７  ラベルマーク具２７のマーク具本体２８に形成した蟻溝
３８  色表示部
３９  左右一対のマーク（図５）
【図１】
2016140998.tif 000003
【図２】
2016140998.tif 000004
【図３】
2016140998.tif 000005
【図４】
2016140998.tif 000006
【図５】
2016140998.tif 000007
【図６】
2016140998.tif 000008